【手続補正書】
【提出日】平成23年6月9日(2011.6.9)
【手続補正１】
【補正対象書類名】特許請求の範囲
【補正対象項目名】全文
【補正方法】変更
【補正の内容】
【特許請求の範囲】
【請求項１】
遊技盤に設けられ、開閉扉を上下方向に回動することにより開口する大入賞口の開閉動作を行う大入賞口開閉装置を備えた遊技機であって、
前記大入賞口開閉装置の前記開閉扉は、前記遊技盤の幅方向内側に所定間隔を有して配設されて上下方向に回動可能に支持された一対の内側開閉扉と、前記一対の内側開閉扉の幅方向外側に所定間隔を有して配設されて上下方向に回動可能に支持された一対の外側開閉扉とを有し、
前記大入賞口開閉装置は、前記一対の内側開閉扉を回動させるとともに、前記一対の外側開閉扉を回動させる開閉扉開閉機構部を備え、
前記開閉扉開閉機構部は、互いに隣接する内側開閉扉と外側開閉扉とを回動させ、遊技球の通過が可能であって、遊技球の直径と略同程度の大きさに開口可能な一対の開口部を形成することを特徴とする遊技機。
【請求項２】
前記一対の内側開閉扉は、前記遊技盤の幅方向内側に所定間隔を有して配設された一対の回転軸の各回転軸から遊技盤幅方向外側に延びて上下方向に回動可能に支持され、
前記一対の外側開閉扉は、前記一対の内側開閉扉の幅方向内側に所定間隔を有して配設された一対の回転軸の各回転軸から隣接する内側開閉扉側へ延びて上下方向に回動可能に支持され、
前記開閉扉開閉機構部は、前記一対の内側開閉扉の対応する回転軸を中心として内側開閉扉を下方へ回動させるとともに、前記一対の外側開閉扉の対応する回転軸を中心として外側開閉扉を上方へ回動させ、互いに隣接する内側開閉扉と外側開閉扉の各先端部間に遊技球の直径と略同程度の大きさに開口して遊技球の通過が可能な開口部を形成することを特徴とする請求項１に記載の遊技機。
【請求項３】
前記開閉扉開閉機構部は、前記開口部の形成時に前記一対の外側開閉扉の先端部間を繋ぐ仮想直線が前記一対の内側開閉扉よりも上方に位置するように一対の外側開閉扉及び前記一対の内側開閉扉を回動させることを特徴とする請求項２に記載の遊技機。
【請求項４】
前記開閉扉開閉機構部は、１又は２以上のアクチュエータによって前記一対の外側開閉扉及び前記一対の内側開閉扉を上下方向に回動させることを特徴とする請求項１から３のいずれかに記載の遊技機。
【手続補正２】
【補正対象書類名】明細書
【補正対象項目名】発明の名称
【補正方法】変更
【補正の内容】
【発明の名称】遊技機
【手続補正３】
【補正対象書類名】明細書
【補正対象項目名】０００１
【補正方法】変更
【補正の内容】
【０００１】
本発明は遊技球が始動口に入球したときの抽選結果に従って行われる特別遊技時に開閉するスライド開閉部材を開閉操作する開閉装置を備えた遊技機に関するものである。
【手続補正４】
【補正対象書類名】明細書
【補正対象項目名】００１３
【補正方法】変更
【補正の内容】
【００１３】
本発明は上記背景より、高速での大入賞口の開閉を可能にする大入賞口開閉装置を備えた遊技機を提案するものである。
【手続補正５】
【補正対象書類名】明細書
【補正対象項目名】００１４
【補正方法】変更
【補正の内容】
【００１４】
請求項１に記載の遊技機は、遊技盤に設けられ、開閉扉を上下方向に回動することにより開口する大入賞口の開閉動作を行う大入賞口開閉装置を備えた遊技機であって、大入賞口開閉装置の開閉扉は、遊技盤の幅方向内側に所定間隔を有して配設されて上下方向に回動可能に支持された一対の内側開閉扉と、一対の内側開閉扉の幅方向外側に所定間隔を有して配設されて上下方向に回動可能に支持された一対の外側開閉扉とを有し、大入賞口開閉装置は、一対の内側開閉扉を回動させるとともに、一対の外側開閉扉を回動させる開閉扉開閉機構部を備え、開閉扉開閉機構部は、互いに隣接する内側開閉扉と外側開閉扉とを回動させ、遊技球の通過が可能であって、遊技球の直径と略同程度の大きさに開口可能な一対の開口部を形成することを構成要件とする。
【手続補正６】
【補正対象書類名】明細書
【補正対象項目名】００１５
【補正方法】変更
【補正の内容】
【００１５】
請求項２に記載の遊技機の一対の内側開閉扉は、遊技盤の幅方向内側に所定間隔を有して配設された一対の回転軸の各回転軸から遊技盤幅方向外側に延びて上下方向に回動可能に支持され、一対の外側開閉扉は、一対の内側開閉扉の幅方向内側に所定間隔を有して配設された一対の回転軸の各回転軸から隣接する内側開閉扉側へ延びて上下方向に回動可能に支持され、開閉扉開閉機構部は、一対の内側開閉扉の対応する回転軸を中心として内側開閉扉を下方へ回動させるとともに、一対の外側開閉扉の対応する回転軸を中心として外側開閉扉を上方へ回動させ、互いに隣接する内側開閉扉と外側開閉扉の各先端部間に遊技球の直径と略同程度の大きさに開口して遊技球の通過が可能な開口部を形成することを構成要件とする。開閉扉開閉機構部が作動すると、一対の内側開閉扉は下方へ回動するとともに、一対の外側開閉扉は上方へ回動して、内側開閉扉と外側開閉扉の先端部間に遊技球の直径と略同程度に開口して遊技球の通過が可能な開口部が形成される。このため、遊技球はこの開口部を介して入球可能である。本願発明は、互いに隣接する内側開閉扉と外側開閉扉を互いに反対方向に回動させることで、遊技球が通過可能な開口部を形成するものであり、内側開閉扉及び外側開閉扉の開閉角度は、一つの開閉扉で開口部を開口する場合と比較して、小さくすることができる。このため、短時間で内側開閉扉及び外側開閉扉を開閉することができ、これらの開閉扉の開閉速度を高速にすることができる。
【手続補正７】
【補正対象書類名】明細書
【補正対象項目名】００１６
【補正方法】変更
【補正の内容】
【００１６】
開閉扉開閉機構部は、内側開閉扉を下方へ回動させるとともに、外側開閉扉を上方へ回動させるものであればよく、具体的には、歯車伝動機構であることが好ましい。歯車伝動機構は、複数の歯車から構成され、一つ歯車の回転軸を内側開閉扉の回転軸に接続し、別の歯車の回転軸に外側開閉扉の回転軸を接続し、これらの歯車間に中間歯車を介して噛合することで、内側開閉扉と外側開閉扉の回転方向を同一方向にして、内側開閉扉を下方向に回動し外側開閉扉を上方向に回動させることができる。また歯車伝動機構にすると、隣接する内側開閉扉と外側開閉扉を同一方向に回動させるとともに、開閉速度を同じにすることができる。開閉扉開閉機構部は、歯車伝動機構の他にリンク機構でもよい。開閉扉開閉機構部を駆動する駆動源は、直線運動をするソレノイドや回転運動するモータのいずれでもよい。開閉扉開閉機構部は、１又は２以上のアクチュエータによって一対の外側開閉扉及び一対の内側開閉扉を上下方向に回動させる（請求項４）。駆動源の数は、開閉扉開閉機構部の伝動機構によって決まる。
【手続補正８】
【補正対象書類名】明細書
【補正対象項目名】００１７
【補正方法】変更
【補正の内容】
【００１７】
また開閉扉開閉機構部は、開口部の形成時に一対の外側開閉扉の先端部間を繋ぐ仮想直線が一対の内側開閉扉よりも上方に位置するように一対の外側開閉扉及び一対の内側開閉扉を回動させることを構成要件とする（請求項３参照）。このように両外側開閉扉の先端同士を繋ぐ仮想直線が一対の内側開閉扉よりも上方に位置することで、両外側開閉扉の先端間に形成される開口（大入賞口）の内側で内側開閉扉が下方へ回動するので、大入賞口に入賞した遊技球が内側開閉扉の上面側に衝突して跳ね返っても、内側開閉扉の外側に上方へ延びる外側開閉扉が配設されているため、入賞球の取りこぼしを防止することができる。
【手続補正９】
【補正対象書類名】明細書
【補正対象項目名】００１８
【補正方法】変更
【補正の内容】
【００１８】
本発明に係わる遊技機によれば、互いに隣接する内側開閉扉と外側開閉扉とを回動させ、遊技球の通過が可能であって、遊技球の直径と略同程度の大きさに開口可能な一対の開口部を形成することで、開閉扉の回動角度を、一つの開閉扉で開口部を開口する場合と比較して、小さくすることができる。このため、短時間で外側開閉扉及び内側開閉扉を開閉することができ、これらの開閉扉の開閉速度を高速にすることができ、数秒間に多数回、これらの開閉扉を開閉させる動作を実現することができる。